(57)【特許請求の範囲】
【請求項１】
袋本体とポケットと把手とからなり、前記袋本体に、周囲をはとめ又はヒートシールにより補強された把手貫通穴が形成され、前記ポケットに、周囲をはとめ又はヒートシールにより補強された挿通穴が形成され、前記把手に、係合突起と該係合突起を係脱自在に係合する係合受部とからなる係合部が設けられ、
前記袋本体に設けられた把手貫通穴とポケットに設けられた挿通穴を通して、把手の係合突起と係合受部とを係合することにより、袋本体、ポケット及び把手が一体化され、かつ把手の係合突起を係合受部から離脱させることにより、袋本体及びポケットが把手から取り外し可能とされたことを特徴とする手提げ袋。
【請求項２】
前記ポケットの開口を開閉する手段が設けられた請求項１に記載の手提げ袋。
【請求項３】
袋本体に設けられた把手貫通穴とポケットに設けられた挿通穴とを合わせ、これらの穴を通して把手の係合突起と係合受部とを係脱自在に係合し、袋本体とポケットと把手とを一体化する手提げ袋において、把手の係合突起を係合受部から離脱させることにより、ポケットを把手から取り外して、ポケット単体で使用することを特徴とする手提げ袋の使用方法。
【発明の詳細な説明】
【０００１】
【発明の属する技術分野】
本発明は、ポケットが設けられた手提げ袋に関する。
【０００２】
【従来の技術】
手提げ袋は、袋状に形成された袋本体に、把手を挿通させるための把手貫通穴が形成され、その把手貫通穴に把手を挿通して形成される。さらに、荷物を仕分けるために袋状のポケットが設けられたものもある。ポケットは、袋本体に直接、縫製やヒートシールにより取り付けられる。
【０００３】
【発明が解決しようとする課題】
しかしながら、上記のように、ポケットは直接袋本体に固定されているため、ポケット内に入れた収納物の重さは袋本体にかかる。そのため、袋本体内に入れた収納物及びポケット内に入れた収納物の両方の重さが袋本体にかかり、把手貫通穴の把手との接点に大きな負荷がかかってしまう。したがって、手提げ袋は、袋本体の把手貫通穴以外の部分やポケットは使用可能な状態であっても、把手貫通穴の破損により使用できなくなってしまう。また、ポケットは袋本体に固着されており、ポケットを取り外して使用することはできず、不便であった。
【０００４】
本発明は、上記に鑑み、ポケット内の収納物の自重による負荷が袋本体にかからず、かつポケットを単体で使用することができる手提げ袋を提供することを目的とする。
【０００５】
【課題を解決するための手段】
上記課題を解決するために、本発明は、袋本体に設けられた把手にポケットを着脱自在に設けたものである。ポケットを把手に設ければ、ポケット内の収納物の重さの負荷は把手に直接かかり、袋本体に負担がかからないで済む。このように、手提げ袋に入れる収納物を袋本体とポケットとに仕分けることにより、収納物の重さの負荷をポケットに分担させることができ、袋本体の負担を減らすことができる。したがって、手提げ袋としての耐久性を高めることができる。ここでポケットとは、袋本体に対する第２の収納袋という概念であり、その大きさを袋本体とほぼ同一または大としても構わない。また、ポケットを把手に着脱自在に設ければ、取り外すことによりポケット単体での使用が可能となり、利便性が高まる。
【０００６】
把手にポケットを着脱自在に設ける形態としては、例えば、把手に係合突起とその係合突起を係脱自在に係合する係合受部とからなる係合部を設け、ポケットに挿通穴を形成し、挿通穴を通して係合突起と係合受部とが係合することにより、ポケットを把手に着脱自在に止着する。係合部は、凸状に形成された係合突起と、穴状または凹状に形成された係合受部とからなる。「挿通穴を通して係合突起と係合受部とが係合する」とは、挿通穴に係合部のみを挿通して係合させること及び係合突起（または係合受部）を設けた把手を挿通穴に挿通させ、把手本体に設けた係合受部（または係合突起）と係合させることを含む概念である。簡単に係合突起と係合受部との係合を外して、ポケットを分離することができる。なお、係合部を面ファスナー、ボタン、かぎホック（フック  アンド  アイ）またはスナップ等の他の手段に代替可能である。前者の場合、係合受部を単部材としてもよいし、把手を二股に分岐し、それぞれの脚に係合突起及び係合受部を形成してもよい。
【０００７】
また、把手にポケットを着脱自在に設ける他の形態としては、把手に突出片を設けてその突出片をポケットの挿通穴に挿通させ、ポケットが引っ掛かる形態としてもよいし、把手とポケットとを面ファスナー、ボタン、かぎホックまたはスナップ等で着脱自在に固定してもよい。この場合、把手を袋本体に対して着脱自在に設ける必要はなく、完全に固定してしまってよい。
【０００８】
また、把手を袋本体に取り付ける手段を用いてポケットを把手に止着すれば、把手を袋本体に設ける際に同時にポケットを設けることができるので、製造工程を削減でき、部材の削減によるコスト削減につながる。例えば、把手に係合突起とその係合突起を係脱自在に係合する係合受部とからなる係合部を設け、袋本体に把手貫通穴を形成し、ポケットに挿通穴を形成し、把手貫通穴及び挿通穴を通して係合突起と係合受部とを係合する。把手を袋本体に取り付けると共にポケットを把手に止着することができる。係合突起と係合受部との係合を外せば、簡単にポケットを取り外すことができ、ポケットを着脱可能とできる。
【０００９】
ポケットの開口を開閉する手段を設ければ、把手より分離して単体としたときにポケットの中身が飛び出さない。開閉手段は、スライドファスナー、面ファスナー、ボタン、かぎホック及びスナップ等種々のものを用いることができる。
【００１０】
【発明の実施の形態】
以下、本発明の実施形態を図面に基づいて説明する。図１は、本手提げ袋の斜視図である。本手提げ袋は、袋状に形成された袋本体１と、袋本体１の上端に一対をなして袋本体１に着脱自在に止着された把手２と、把手２に着脱自在に止着されたポケット３とから構成される。袋本体１及びポケット３は、ポリエチレン製とされる。なお、これらは、用途に応じてポリプロピレン、塩化ビニル等の合成樹脂、紙または布等、種々の材料を採用可能である。
【００１１】
袋本体１は、ヒートシールにより袋状に形成され、上端が内側に折り返されて把手２を取り付けるための補強部４とされる。内側に折り返して２重にすることにより補強される。補強部４の折り返しの間に芯材を挿入すれば、さらにその強度を高めることができる。補強部４には、把手２を貫通させるための把手貫通穴５が形成され、その把手貫通穴５はプラスチック製あるいは金属製のはとめ６で補強される。なお、把手貫通穴５の周囲をヒートシールにより補強してもよく、部品点数の減少によるコスト削減が可能となる。
【００１２】
把手２は、ポリエチレン製とされる。なお、用途に応じて、ポリプロピレン、塩化ビニル等の合成樹脂、紙、布または金属等、種々の材料を採用可能である。把手２は、図２に示すように両端が二股に分岐され、その脚７に係合部８が一体的に形成される。
【００１３】
係合部８は、凸状の係合突起９と係合受部１０とからなり、係合突起９と係合受部１０とは係脱自在に係合可能である。一方の脚７の内側に係合突起９が形成され、他方の脚７に穴が形成されて係合受部１０とされる。係合突起９及び係合受部１０の両方が把手２に一体的に形成されているので、紛失する心配がない。係合突起９の先端には係止部１１が形成され、係合突起９を係合受部１０に挿通したときに簡単に抜けないようにストッパーの役割をする。なお、係合受部１０は穴としたが、凹状に形成してもよい。また、把手として、市販のハッピータック（登録商標）を使用してもよい。市販のものを使用することにより、製造する手間が省け、コスト削減につながる。また、対抗する把手２が着脱自在に係合するように、第２の係合部１２を脚７の袋本体内部に面する面に設けてもよい。一方の脚７に係合突起１２ａを設け、それと対向する脚７に係合受部１２ｂを形成する。第２の係合部１２を着脱することにより、袋本体１の開口を開閉できる。
【００１４】
ポケット３は、図３に示すように袋状に形成され、一面が延長されて把手に取り付けるための把手取付部１３が形成される。把手取付部１３の上端に把手２の係合突起９を挿通するための挿通穴１４が形成され、挿通穴１４の周囲がプラスチック製あるいは金属製のはとめ１５で補強される。なお、挿通孔１４の周囲をヒートシールにより補強してもよく、部品点数の減少によるコスト削減が可能となる。
【００１５】
また、図３に示すように、ポケット３には、ポケット３の開口を開閉する手段が設けられる。その開閉手段としては面ファスナー１６が用いられ、ポケット３の開口の内面に面ファスナー１６が設けられる。なお、面ファスナー１６の代わりにスライドファスナー、スナップまたはボタン等を用いてもよい。または、図４に示すように、把手取付部１３の上端と、把手取付部１３がポケットの開口を覆うように折り曲げたときに対抗する面とが固定されるように面ファスナー１６を設けてもよい。ポケット３を把手２から分離して単体にしたときに、ポケット３の開口を開閉することができる。把手取付部１３が固定されるので邪魔にならず、美観的にも優れている。また、把手取付部１３にボタンホールを設け、把手取付部１３を折り曲げたときにボタンホールと対向する面にボタンを設けてもよい。
【００１６】
次に本手提げ袋の組立方法を説明する。まず、把手貫通穴５と挿通穴１４が重なるように袋本体１の内側にポケット３を配する。その際、袋本体１の補強部４の折り返しの間にポケット３を介在させるようにすれば、ポケット３の上端が露見せずに外観的にもよい。次に、把手２の２つの脚７で袋本体１及びポケットを挟み込み、図５に示すように、把手貫通穴５及び挿通穴１４に一側から把手２の係合突起９を挿入する。そして、袋本体１及びポケット３を挟むように他側から係合受部１０を係合させて完成される。
【００１７】
把手２の係合突起９を係合受部１０から外せば、ポケット３を把手２から取り外すことができ、単体として使用できる。このとき、開閉手段の面ファスナー１６によりポケット３の開口を閉じれば、中身が飛び出さないので便利である。
【００１８】
本発明は上記実施形態に限定されるものではなく、本発明の範囲内で上記実施形態に多くの修正及び変更を加え得ることは勿論である。例えば、上記実施形態では、把手２の先端を二股に分岐して一方の脚７に係合突起９を形成し、他方の脚７に係合受部１０を形成したが、把手２の先端を分岐しないで係合部８を設けてもよい。すなわち、把手２に係合突起９（または係合受部１０）を形成し、係合受部１０（または係合突起９）を単部材とする。把手貫通穴５及び挿通穴１４に一側から把手２の係合突起９を挿入する。そして、袋本体１及びポケット３を挟むように他側から単部材とされた係合受部１０を係合させる。把手２の両端を二股に分岐する必要がないので、把手２の製造工程を削減できる。
【００１９】
または、図６に示すように、把手２の先端に係合突起９（または係合受部１０）を形成し、把手２本体に係合受部１０（または係合突起９）を形成してもよい。係合突起９（または係合受部１０）と一緒に把手２の先端を挿通穴１４及び把手貫通穴５に挿通させ、把手２本体に形成された係合受部１０（または係合突起９）と係合して固定する。このとき、係合部８を面ファスナー、ボタンまたはかぎホック等の他の固定手段に代替可能である。
【００２０】
また、把手２に突出片１７を設けて、その突出片１７を挿通穴１４に挿通させ、ポケット３が引っ掛かる形態としてもよい。例えば、突起の第２の係合突起を突出片としてもよいし、または、図７に示すように把手の先端を上方に向けて折り曲げてフック状体とし、そのフック状体１７を突出片としてもよい。
【００２１】
また、上記実施形態においては、ポケット３を袋本体１の内側に設けたが、外側に設けてもよい。
【００２２】
【発明の効果】
以上の説明から明らかな通り、本発明によると、ポケットを把手に設けたので、ポケット内の収納物の自重による負荷が袋本体にかからない。したがって、袋本体内及びポケット内の収納物の重さの負荷を袋本体とポケットとで分担することができ、袋本体の負担を減らすことができる。また、ポケットを把手に着脱自在としたので、取り外すことによりポケットのみの使用が可能であり、利便性が高まる。
【図面の簡単な説明】
【図１】本手提げ袋の斜視図
【図２】同じく把手の断面図
【図３】同じくポケットの斜視図
【図４】他の実施形態のポケットの正面図
【図５】本手提げ袋の把手を取り付け状態を示す断面図
【図６】他の実施形態の把手を示す正面図
【図７】他の実施形態の手提げ袋の斜視図
【符号の説明】
１    袋本体
２    把手
３    ポケット
５    把手貫通穴
８    係合部
９    係合突起
１０    係合受部
１４  挿通穴
１６  面ファスナー
【図１】
0003954828.tif 000002
【図２】
0003954828.tif 000003
【図３】
0003954828.tif 000004
【図４】
0003954828.tif 000005
【図５】
0003954828.tif 000006
【図６】
0003954828.tif 000007
【図７】
0003954828.tif 000008